(57)【要約】      （修正有）【課題】従来よりも止金の種類が半減し、在庫管理の簡素化と経費削減を実現する。【解決手段】キャビネットの扉２に取り付けたハンドル３の回転軸に連結されキャビネットの本体１の係止面１５に係合し、ハンドル３の操作によりロック又は解除する止金４に装着する保護キャップ９において、保護キャップ９の第１の面９ａと第２の面９ｂの厚みを変えて両面装着自在とすることで、距離Ｈａのような差に対応することができる。【選択図】図１
0003137257.tif 000002
【実用新案登録請求の範囲】
【請求項１】
キャビネットの扉に取り付けたハンドルの回転軸に連結されキャビネットの本体の係止面に係合し、前記ハンドル操作によりロック又は解除する止金に装着する保護キャップにおいて、該保護キャップの第１の面と第２の面の厚みを変えて両面装着自在としたことを特徴とするハンドルの止金構造。
【考案の詳細な説明】
【技術分野】
【０００１】
主に、電気電子機器収納用キャビネットの扉ロック装置に関するものである。
【背景技術】
【０００２】
電気電子機器収納用キャビネットの扉に取り付けたハンドルの操作により、扉に貫通したハンドルの回転軸には、該回転軸の動きに連動して、ロック又は解除する止金が固着されている。該止金には、ハンドルの回動時にキャビネットの本体に係合する係止面との接触により生じる擦り傷やガタツキ防止の目的で、保護キャップを装着することがある（特許文献１参照）。
【０００３】
又、特許文献１記載の電気電子機器収納用キャビネットの扉ロック装置の構造と同様な構造として、図５で示すように、キャビネット構造や使用するハンドルの種類又は各種キャビネットとハンドルの組み合わせで、ハンドルの回転軸に連結された止金の取付け面と保護キャップが係止する本体の係止面との距離が変化し差が生じることがある。
【０００４】
【特許文献１】特開２００５−１８８１５８号公報
【考案の開示】
【考案が解決しようとする課題】
【０００５】
例えば、特許文献１又は図５で示すような従来の電気電子機器収納用キャビネットの扉ロック装置の構造では、ハンドル３の回転軸に連結された止金４の取付け面６と従来の保護キャップ２１が係止する本体１の係止面１５との距離Ｈが変化し差が生じると、距離Ｈに対応した各サイズの止金４を在庫しておく必要があり、経費がかかるという問題点があった。
【０００６】
本考案は上記問題点を解消し、止金の種類を半減することを目的とする。
【課題を解決するための手段】
【０００７】
キャビネットの扉に取り付けたハンドルの回転軸に連結されキャビネットの本体の係止面に係合し、前記ハンドルの操作によりロック又は解除する止金に装着する保護キャップにおいて、保護キャップの第１の面と第２の面の厚みを変えて両面装着自在としたことを特徴とする。
【考案の効果】
【０００８】
以上のように本考案は、扉に取り付けたハンドルの操作により、該ハンドルの回転軸に連結されロック又は解除する止金の引掛け部側に装着する保護キャップの第１の面と第２の面の厚みを変えて、第１の面及び第２の面共に係止面とすることで、キャビネット構造や使用するハンドルの種類又は各種キャビネットとハンドルの組み合わせで変化する止金の距離により生じた差に対応できる。すなわち保護キャップの第１の面と第２の面の厚みを、該止金の距離に生じた差に対応させて第１の面と第２の面が共に係止面となるように止金の引掛け部側に装着することで、従来よりも止金の種類が半減し、在庫管理の簡素化と経費削減につながる効果が上げられる。
【考案を実施するための最良の形態】
【０００９】
以下、本考案の好ましい実施の形態を図１〜図４に基づいて説明する。
【００１０】
図１、図２は扉２を開閉する際に操作するハンドル３の回転軸に連結されロック又は解除する止金４の引掛け部側７に、保護キャップ９が装着されている状態を表すハンドルの止金構造の横断面図である。図１は本体１の係止面１５に係止される保護キャップ９が第１の面９ａの場合、図２は前記と同様の状態で保護キャップ９が第２の面９ｂの場合を表している。図１、図２で示すようにキャビネットの構造や使用するハンドル３の種類又は各種キャビネットとハンドル３の組み合わせにより、ハンドル３の回転軸に連結された止金４の取付け面６と保護キャップ９が係止する本体１の係止面１５との距離がＨａとＨｂのように変化し差が生じる。
【００１１】
図３は止金４と保護キャップ９の関係を表す断面図である。保護キャップ９の装着面１０に設けた空洞部１１を止金４の引掛け部側７から装着する。その際、保護キャップ９の内部に設けた突起部１２が止金４の開口部８に嵌ることで、保護キャップ９は止金４から外れず、保護キャップ９の第１の面と第２の面を付け替えた場合でも突起部１２は開口部８に嵌り外れない。又、保護キャップ９の各々の厚みを変えた図３（ａ）で示す第１の面９ａと、図３（ｂ）第２の面９ｂ共に係止面として止金４に装着することで、距離ＨａとＨｂのように変化する差に対応できるハンドルの止金構造となっている。
【００１２】
図４で示すように扉２の開閉は、ハンドル３の操作により扉に貫通したハンドル３の回転軸に連結された止金４が連動してロック又は解除を行う。ハンドル３の回転軸に連結された止金４は、まず保護キャップ９の当接部１３が本体１の係止面１５に当接し、更にハンドル３を矢印方向に動かすことで、当接面１４が本体１の係止面１５の下に滑り込みロックされ扉２が閉状態になる。更に当接部１３には左右対称に角を取り傾斜面を設けた形状とし、当接面１４は円弧状にすることで、本体１の内面に滑り込む際に引っ掛からない効果がある。又ハンドル３の操作により止金４がキャビネット１の係止面１５から離れることで解除され、扉が開状態となる。
【００１３】
止金４に装着した保護キャップ９は自己潤滑性のある樹脂成形品にすることで、ハンドル３の回動操作時、キャビネットの本体１の係止面１５を滑りやすくなり、該ハンドル３の回動操作が行い易い構造になっている。前記の樹脂成形品としては、耐熱性、耐薬品性、電気絶縁性、非粘着性、低摩擦性等に優れた四フッ化エチレン樹脂、又は耐疲労性に優れたポリアセタール樹脂、又は強靭で耐摩耗性や耐薬品性に優れたポリアミド樹脂等がある。
【図面の簡単な説明】
【００１４】
【図１】本考案の保護キャップ装着時に第１の面が本体に係止する状態を表すハンドルの止金構造の横断面図である。
【図２】本考案の保護キャップ装着時に第２の面が本体に係止する状態を表すハンドルの止金構造の横断面図である。
【図３】保護キャップと止金の関係を表す断面図である。（ａ）保護キャップの第１の面を止金に装着する過程を表す断面図（ｂ）保護キャップの第２の面を止金に装着する過程を表す断面図
【図４】ハンドルに連結された止金がロックする様子を表したキャビネット内部の詳細斜視図である。
【図５】従来の保護キャップ装着時におけるハンドルの止金構造の横断面図である。
【符号の説明】
【００１５】
１      本体
２      扉
３      ハンドル
４      止金
５      ハンドル側
６      取付け面
７      引掛け部側
８      開口部
９      保護キャップ
９ａ    第１の面
９ｂ    第２の面
１０    装着面
１１    空洞部
１２    突起部
１３    当接部
１４    当接面
１５    係止面
２１    従来の保護キャップ
Ｈ      距離
Ｈａ    距離
Ｈｂ    距離
【図１】
0003137257.tif 000003
【図２】
0003137257.tif 000004
【図３】
0003137257.tif 000005
【図４】
0003137257.tif 000006
【図５】
0003137257.tif 000007